(57)【要約】【課題】  仕入品を、同一価格の複数の商品に小分けする際に、必要な情報や知りたい情報の計算を人間が行う手間を省くことができる商品生産支援方法及び商品生産支援装置を提供する。【解決手段】  仕入品を小分けにして複数の商品を生産するための商品生産支援装置であって、仕入品の仕入価格情報を設定するとともに、商品の販売単価情報と、商品を販売した場合の利益に関する値である利益情報と、商品の許容重量範囲を示す許容重量範囲情報と、からなる３つの情報のうちのいずれか２つの情報を設定する操作入力部３と、仕入品の重量と、仕入価格情報と、設定された２つの情報とに基づいて、３つの情報のうちの残りの１つの情報を算出する制御部７とを備えている。【選択図】  図２
2015017829.tif 000002
【特許請求の範囲】
【請求項１】
仕入品を小分けにして複数の商品を生産するための商品生産支援方法であって、
前記仕入品の仕入価格情報を設定するステップと、
前記商品の販売単価情報と、前記商品を販売した場合の利益に関する値である利益情報と、１個の前記商品とする重量の許容範囲である許容重量範囲を示す許容重量範囲情報と、からなる３つの情報のうちのいずれか２つの情報を設定するステップと、
演算手段が、前記仕入品の重量と、前記仕入価格情報と、前記設定された２つの情報とに基づいて、前記３つの情報のうちの残りの１つの情報を算出するステップと
を有する商品生産支援方法。
【請求項２】
前記仕入品の重量を計量するステップをさらに有し、
前記残りの１つの情報を算出するステップは、前記計量された前記仕入品の重量に基づいて、前記残りの１つの情報を算出する、請求項１に記載の商品生産支援方法。
【請求項３】
仕入品を小分けにして複数の商品を生産するための商品生産支援装置であって、
前記仕入品の仕入価格情報を設定する第１情報設定手段と、
前記商品の販売単価情報と、前記商品を販売した場合の利益に関する値である利益情報と、１個の前記商品とする重量の許容範囲である許容重量範囲を示す許容重量範囲情報と、からなる３つの情報のうちのいずれか２つの情報を設定する第２情報設定手段と、
前記仕入品の重量と、前記仕入価格情報と、前記設定された２つの情報とに基づいて、前記３つの情報のうちの残りの１つの情報を算出する演算手段と
を備えた商品生産支援装置。
【請求項４】
前記仕入品の重量を計量する計量部をさらに備え、
前記演算手段は、
前記計量部で計量された前記仕入品の重量に基づいて、前記残りの１つの情報を算出する、
請求項３に記載の商品生産支援装置。
【請求項５】
前記第２情報設定手段は、
前記販売単価情報と前記利益情報と前記許容重量範囲の大きさとを設定し、
前記演算手段は、
前記仕入品の重量と、前記仕入価格情報と、前記販売単価情報と、前記利益情報と、前記許容重量範囲の大きさとに基づいて、前記許容重量範囲情報を算出する、
請求項３または４に記載の商品生産支援装置。
【請求項６】
前記第２情報設定手段は、
前記許容重量範囲情報と前記利益情報とを設定し、
前記演算手段は、
前記仕入品の重量と、前記仕入価格情報と、前記許容重量範囲情報と、前記利益情報とに基づいて、前記販売単価情報を算出する、
請求項３または４に記載の商品生産支援装置。
【請求項７】
前記第２情報設定手段は、
前記許容重量範囲情報と前記販売単価情報とを設定し、
前記演算手段は、
前記仕入品の重量と、前記仕入価格情報と、前記許容重量範囲情報と、前記販売単価情報とに基づいて、前記利益情報を算出する、
請求項３または４に記載の商品生産支援装置。
【請求項８】
前記許容重量範囲の大きさを記憶する記憶手段を備えた、
請求項３〜７のいずれかに記載の商品生産支援装置。
【請求項９】
前記演算手段は、
前記仕入価格情報と、前記販売単価情報と、前記利益情報とに基づいて、前記商品の予定生産数を算出する、
請求項３〜８のいずれかに記載の商品生産支援装置。
【請求項１０】
前記演算手段は、
前記仕入品の重量と、前記許容重量範囲情報とに基づいて、前記商品の予定生産数を算出する、
請求項３〜８のいずれかに記載の商品生産支援装置。
【請求項１１】
前記商品の生産中に前記商品の実生産数を計数する計数手段をさらに備え、
前記演算手段は、
前記実生産数が前記予定生産数を超えて前記商品の生産を終了するときに、前記仕入価格情報と前記販売単価情報と前記実生産数とに基づいて、前記実生産数に応じた前記利益情報を算出する、
請求項９または１０に記載の商品生産支援装置。
【請求項１２】
前記演算手段で算出される情報を報知する報知手段をさらに備えた、
請求項３〜１１のいずれかに記載の商品生産支援装置。
【発明の詳細な説明】
【技術分野】
【０００１】
本発明は、小売業の計量現場等に役立つ商品生産支援方法及び商品生産支援装置に関する。
【背景技術】
【０００２】
小売業等において、商品として販売する食品等の被計量物を計量するための計量装置として、単一の計量部を有する秤（例えば上皿秤）が用いられたり、複数の計量部を有する組合せ秤が用いられたりする（例えば、特許文献１，２参照）。
【０００３】
ところで、一般の個人商店やスーパーマーケット等の小売店では、例えば、卸売業者、生産者等から、同じ種類の野菜等の被計量物が複数個箱詰めされた仕入品を１箱単位で仕入れて、販売単価が同一の複数の商品に小分けして販売する場合がある。このような商品を生産する場合、例えば、１個の商品とするための商品の許容重量範囲を決めて、例えば上皿秤を用いて、許容重量範囲となるように被計量物の量を調整しながら計量し、許容重量範囲となる被計量物の集合を１個の商品（例えば１つのパック商品）として生産するようにしている。
【０００４】
このように箱詰めされた仕入品を複数の商品に小分けして販売する場合において、販売単価と所望する利益（あるいは利益率）等を先に決めておいて、商品の許容重量範囲を求める場合がある。例えば、商品には、よく売れる価格あるいは価格帯があるので、先に商品の販売単価を決めておいて、所望の利益（あるいは利益率）等が得られるように許容重量範囲を計算する場合がある。
【先行技術文献】
【特許文献】
【０００５】
【特許文献１】特開平８−１４５７７３号公報
【特許文献２】特開２００８−５８２６２号公報
【発明の概要】
【発明が解決しようとする課題】
【０００６】
前述のように、箱詰めされた仕入品を小分けする際には、１個の商品とするための商品の許容重量範囲を決めなければならないが、その際、管理者等の人間が、商品の販売単価及び利益等を勘案して許容重量範囲を電卓等を用いて計算しなければならず、煩雑である。
【０００７】
また、商品の許容重量範囲と利益（あるいは利益率）等を、所望の範囲、所望の値にしたときの販売単価を知りたい場合があるが、このような場合も、管理者等の人間が、電卓等を用いて商品の販売単価を計算しなければならず、煩雑である。
【０００８】
また、商品の許容重量範囲と販売単価とを、所望の範囲、所望の値にしたときの利益（あるいは利益率）等を知りたい場合があるが、このような場合も、管理者等の人間が、電卓等を用いて利益（あるいは利益率）等を計算しなければならず、煩雑である。
【０００９】
また、上記のような場合等において、生産すべき商品の個数（予定生産数）を知りたい場合があるが、これを求めるための計算を、管理者等の人間が行うのは煩雑である。
【００１０】
本発明は上記のような課題を解決するためになされたもので、仕入品を、同一価格の複数の商品に小分けする際に、必要な情報や知りたい情報の計算を人間が行う手間を省くことができる商品生産支援方法及び商品生産支援装置を提供することを目的としている。
【課題を解決するための手段】
【００１１】
上記目的を達成するために、本発明のある形態（aspect）に係る商品生産支援方法は、仕入品を小分けにして複数の商品を生産するための商品生産支援方法であって、前記仕入品の仕入価格情報を設定するステップと、前記商品の販売単価情報と、前記商品を販売した場合の利益に関する値である利益情報と、１個の前記商品とする重量の許容範囲である許容重量範囲を示す許容重量範囲情報と、からなる３つの情報のうちのいずれか２つの情報を設定するステップと、演算手段が、前記仕入品の重量と、前記仕入価格情報と、前記設定された２つの情報とに基づいて、前記３つの情報のうちの残りの１つの情報を算出するステップとを有している。
【００１２】
この方法によれば、仕入価格情報を設定するとともに、販売単価情報と利益情報と許容重量範囲情報とからなる３つの情報のうちのいずれか２つの情報を設定すれば、残りの１つの情報が算出されるので、複数の商品に小分けする際に、必要な情報や知りたい情報の計算を管理者等の人間が行う手間を省くことができ、人間の負担を軽減することができる。
【００１３】
なお、本明細書及び特許請求の範囲において、仕入品の仕入価格情報とは、仕入品の仕入価格そのものである。また、商品の販売単価情報とは、商品の販売単価（商品１個の販売価格）そのものである。また、許容重量範囲情報とは、許容重量範囲（１個の商品とする重量の許容範囲）を定めることができる情報であり、許容重量範囲の上限値と、同範囲の下限値と、同範囲の大きさを示す値（すなわち同範囲の上限値と下限値との差）との３つの値のうちの、少なくとも２つの値からなる情報である。したがって、上記３つの値のうちの個々の値（１つの値）のみでは許容重量範囲情報には該当しない。
【００１４】
また、前記仕入品の重量を計量するステップをさらに有し、前記残りの１つの情報を算出するステップは、前記計量された前記仕入品の重量に基づいて、前記残りの１つの情報を算出するようにしてもよい。
【００１５】
この方法によれば、仕入品の重量を計量することにより、商品を生産するために用いる仕入品の正確な重量を得ることができ、その正確な重量を用いて算出される残りの１つの情報も正確な値となる。例えば、仕入品に商品として用いることができない不良品が含まれていた場合には、不良品を除いて商品として用いることが可能な良品のみからなる仕入品の重量を計量することができる。
【００１６】
また、本発明のある形態に係る商品生産支援装置は、仕入品を小分けにして複数の商品を生産するための商品生産支援装置であって、前記仕入品の仕入価格情報を設定する第１情報設定手段と、前記商品の販売単価情報と、前記商品を販売した場合の利益に関する値である利益情報と、１個の前記商品とする重量の許容範囲である許容重量範囲を示す許容重量範囲情報と、からなる３つの情報のうちのいずれか２つの情報を設定する第２情報設定手段と、前記仕入品の重量と、前記仕入価格情報と、前記設定された２つの情報とに基づいて、前記３つの情報のうちの残りの１つの情報を算出する演算手段とを備えている。
【００１７】
この構成によれば、仕入価格を設定するとともに、販売単価と利益情報と許容重量範囲情報とからなる３つの情報のうちのいずれか２つの情報を設定すれば、残りの１つの情報が算出されるので、複数の商品に小分けする際に、必要な情報や知りたい情報の計算を管理者等の人間が行う手間を省くことができ、人間の負担を軽減することができる。
【００１８】
また、前記仕入品の重量を計量する計量部をさらに備え、前記演算手段は、前記計量部で計量された前記仕入品の重量に基づいて、前記残りの１つの情報を算出するようにしてもよい。
【００１９】
この構成によれば、仕入品の重量を計量することにより、商品を生産するために用いる仕入品の正確な重量を得ることができ、その正確な重量を用いて算出される残りの１つの情報も正確な値となる。例えば、仕入品に商品として用いることができない不良品が含まれていた場合には、不良品を除いて商品として用いることが可能な良品のみからなる仕入品の重量を計量することができる。
【００２０】
また、前記第２情報設定手段は、前記販売単価情報と前記利益情報と前記許容重量範囲の大きさとを設定し、前記演算手段は、前記仕入品の重量と、前記仕入価格情報と、前記販売単価情報と、前記利益情報と、前記許容重量範囲の大きさとに基づいて、前記許容重量範囲情報を算出するように構成されていてもよい。
【００２１】
この構成によれば、仕入価格、販売単価及び利益情報等を設定すれば、許容重量範囲情報が算出されるので、複数の商品に小分けする際に、必要な情報（許容重量範囲情報）の計算を管理者等の人間が行う手間を省くことができ、人間の負担を軽減することができる。
【００２２】
また、前記第２情報設定手段は、前記許容重量範囲情報と前記利益情報とを設定し、前記演算手段は、前記仕入品の重量と、前記仕入価格情報と、前記許容重量範囲情報と、前記利益情報とに基づいて、前記販売単価情報を算出するように構成されていてもよい。
【００２３】
この構成によれば、許容重量範囲情報及び利益情報等を設定すれば、商品の販売単価が算出されるので、複数の商品に小分けする際に、知りたい情報（販売単価）の計算を管理者等の人間が行う手間を省くことができ、人間の負担を軽減することができる。
【００２４】
また、前記第２情報設定手段は、前記許容重量範囲情報と前記販売単価情報とを設定し、前記演算手段は、前記仕入品の重量と、前記仕入価格情報と、前記許容重量範囲情報と、前記販売単価情報とに基づいて、前記利益情報を算出するように構成されていてもよい。
【００２５】
この構成によれば、許容重量範囲情報及び商品の販売単価等を設定すれば、利益情報が算出されるので、複数の商品に小分けする際に、知りたい情報（利益情報）の計算を管理者等の人間が行う手間を省くことができ、人間の負担を軽減することができる。
【００２６】
また、前記許容重量範囲の大きさを記憶する記憶手段を備えていてもよい。
【００２７】
この構成によれば、許容重量範囲の大きさが頻繁に変更されない場合に、この値を記憶手段に記憶しておくことにより、人間が設定する手間を省くことができる。
【００２８】
また、前記演算手段は、前記仕入価格情報と、前記販売単価情報と、前記利益情報とに基づいて、前記商品の予定生産数を算出するように構成されていてもよい。
【００２９】
この構成によれば、商品の予定生産数が算出されるので、予定生産数の算出に必要な計算を管理者等の人間が行う手間を省くことができ、人間の負担を軽減することができる。
【００３０】
また、前記演算手段は、前記仕入品の重量と、前記許容重量範囲情報とに基づいて、前記商品の予定生産数を算出するように構成されていてもよい。
【００３１】
この構成によれば、商品の予定生産数が算出されるので、予定生産数の算出に必要な計算を管理者等の人間が行う手間を省くことができ、人間の負担を軽減することができる。
【００３２】
また、前記商品の生産中に前記商品の実生産数を計数する計数手段をさらに備え、前記演算手段は、前記実生産数が前記予定生産数を超えて前記商品の生産を終了するときに、前記仕入価格情報と前記販売単価情報と前記実生産数とに基づいて、前記実生産数に応じた前記利益情報を算出するように構成されていてもよい。
【００３３】
この構成によれば、実生産数に応じた利益情報の算出に必要な計算を管理者等の人間が行う手間を省くことができ、人間の負担を軽減することができる。
【００３４】
また、前記演算手段で算出される情報を報知する報知手段をさらに備えていてもよい。
【発明の効果】
【００３５】
本発明は、以上に説明した構成を有し、仕入品を、同一価格の複数の商品に小分けする際に、必要な情報や知りたい情報の計算を人間が行う手間を省くことができる商品生産支援方法及び商品生産支援装置を提供することができるという効果を奏する。
【図面の簡単な説明】
【００３６】
【図１】（ａ）は、本発明の実施形態の一構成例の商品生産支援装置の外観を示す斜視図であり、（ｂ）〜（ｅ）は、同商品生産支援装置の表示部の画面の表示例を示す図である。
【図２】図１（ａ）に示す商品生産支援装置の概略を示す機能ブロック図である。
【図３】図１（ａ）に示す商品生産支援装置の動作の一例の概略を示すフローチャートである。
【図４】図１（ａ）に示す商品生産支援装置の動作の一例の概略を示すフローチャートである。
【発明を実施するための形態】
【００３７】
以下、本発明の好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００３８】
（実施形態）
図１（ａ）は、本発明の実施形態の一構成例の商品生産支援装置の外観を示す斜視図であり、図１（ｂ）〜（ｅ）は、同商品生産支援装置の表示部の画面の表示例を示す図である。図２は、同商品生産支援装置の概略を示す機能ブロック図である。
【００３９】
この一構成例の商品生産支援装置は、複数の被計量物からなる仕入品を、同一価格の複数の商品に小分けする（すなわち商品を生産する）ために用いられる計量装置である。この商品生産支援装置（計量装置）は、被計量物が載せられる計量皿１と、図２に示す重量センサ２及び制御部７が内蔵された本体６と、本体６の前面側に設けられた操作入力部３、表示部４及び判定ランプ５等を備えている。計量皿１は、本体６の内部に固定されたロードセル等からなる重量センサ２によって支持されている。この重量センサ２によって計量皿１上に載せられる被計量物の重量が計測される。計量皿１及び重量センサ２によって計量部１０が構成されている。
【００４０】
操作入力部３は、商品生産支援装置の操作及びパラメータの値等の入力を行うために用いられ、第１情報設定手段、第２情報設定手段等として機能する。
【００４１】
表示部４は、例えば小型の液晶ディスプレイを用いて構成され、重量計測値等を画面に表示することができ、制御部７で算出される種々の情報を報知する報知手段等として機能する。判定ランプ５は、例えば多色ＬＥＤを用いて構成され、発光色を変更することができる。
【００４２】
制御部７は、例えばマイクロコントローラ等によって構成され、マイクロコントローラのＣＰＵ等からなる演算制御部８と、マイクロコントローラのＲＡＭ及びＲＯＭ等からなる記憶部９とを有している。制御部７は、演算制御部８のＣＰＵが記憶部９のＲＯＭに記憶されたＣＰＵの実行プログラムを実行することにより、商品生産支援装置の全体の制御を行う。例えば、制御部７は、重量センサ２からの計量値を入力する。また、操作入力部３からの信号を入力するとともに、表示部３へ表示するデータ等の信号を出力する。また、判定ランプ５を制御する。また、制御部７は、演算手段及び実生産数の計数手段等としても機能する。なお、制御部７は、集中制御する単独の制御装置によって構成されていてもよいし、互いに協働して分散制御する複数の制御装置によって構成されていてもよい。
【００４３】
以上のように構成された商品生産支援装置の動作の一例について、その概略を説明する。図３及び図４は、同商品生産支援装置の動作の一例の概略を示すフローチャートであり、本発明の商品生産支援方法の一例を示す。この商品生産支援装置の動作は制御部７によって制御され、制御部７では、商品生産支援装置を動作させるために必要な情報はすべて記憶部９に記憶されており、また、動作中に記憶すべき情報はすべて記憶部９に記憶される。
【００４４】
この商品生産支援装置は、例えば、小売業者が、例えば、きゅうり、じゃがいも等の同一種類の野菜等からなる被計量物が多数箱詰めされた仕入品を箱単位で仕入れた場合に、その仕入品（原材料）を小分けして販売単価が同一の複数の商品を生産するために用いられる。
【００４５】
管理者あるいは作業者等の人間は、商品生産支援装置の電源を入れた後、操作入力部３を操作して、所定のパラメータの値を設定（入力）できる状態とし、そのパラメータの値を入力することができる。パラメータの値が入力されると（ステップＳ１）、制御部７は、入力されるパラメータの値を記憶する（ステップＳ２）。ここでは、パラメータとして、利益率と、商品の販売単価と、入れ目とが設定される。これら設定されたパラメータは、図１（ｂ）に示すように、表示部４の画面に表示される。なお、ここでいう「入れ目」とは、商品の許容重量範囲の大きさ（幅）を示す値、すなわち商品の許容重量範囲の上限値と下限値との差である。ここで、商品の許容重量範囲は、１個の商品とする重量の許容範囲であり、商品とは、例えば、１つのパックにして販売する品物である。
【００４６】
例えば、利益率は商品毎に所望値に決められ、商品の販売単価は売れ筋の価格に決められ、入れ目は経験等に基づいて決められる。そして、これらの値は頻繁には変更されない。そこで本例では、利益率、商品の販売単価及び入れ目の３つのパラメータの値は、頻繁に変更されることがないものとして、これらの値は、電源が切られても記憶部９に記憶されている。したがって、パラメータの値が入力されず、ステップＳ２が行われない場合には、直近に記憶されたパラメータの値が以降の処理（ステップＳ６、Ｓ７）で用いられる。
【００４７】
また、操作入力部３を操作して、仕入価格の値を設定（入力）できる状態とし、仕入価格の値を入力することができる。仕入価格の値が入力されると（ステップＳ３）、制御部７は、入力される仕入価格の値を記憶する（ステップＳ４）。入力された仕入価格は、図１（ｃ）に示すように、表示部４の画面に表示される。
【００４８】
次に、管理者あるいは作業者等の人間によって計量皿１に仕入品（１箱分の原材料）が載せられると、その仕入品の重量を計測し、その重量を記憶する（ステップＳ５）。この際、計測重量は、「原材料残り重量値（Ｗｓ）」として記憶される。
【００４９】
続いて、制御部７は、設定された利益率を得るために必要となる商品の生産数（予定生産数）を算出して記憶し（ステップＳ６）、さらに同予定生産数を生産するための条件となる商品の許容重量範囲の上限値及び下限値を算出して記憶し（ステップＳ７）、算出した予定生産数と許容重量範囲の上限値及び下限値とを表示部４に表示する（ステップＳ８）。例えば、図１（ｄ）に示すように、表示部４の画面に、予定生産数（２４パック）と許容重量範囲の下限値（３９７ｇ）及び上限値（４１７ｇ）とが表示される。
【００５０】
ここで、ステップＳ６、Ｓ７における予定生産数、許容重量範囲の下限値及び上限値の具体的な算出方法を説明する。
【００５１】
利益率（仕入価格に対する利益の割合）をα（％）、商品の販売単価をｂ（円）、入れ目をｘ（ｇ）とし、１箱の仕入価格がＣ（円）で、同１箱に入っている原材料の計測重量（ステップＳ５で計測された仕入品の重量）がＷＡ（ｇ）であったとする。そして、利益率αを達成するために必要な最少の生産数を予定生産数Ｎ（個）とし、商品の許容重量範囲の上限値をＷＨ（ｇ）、下限値をＷＬ（ｇ）としたときに、次の（１）〜（３）式で示される関係を満足するものとする。
【００５２】
ｂ・Ｎ≧Ｃ（１＋α／１００）  ・・・（１）
ＷＨ・Ｎ≦ＷＡ  ・・・（２）
ＷＨ−ＷＬ＝ｘ  ・・・（３）
なお、Ｎは、（１）式を満足する最小の整数値である。
【００５３】
ここで、ステップＳ５が終了している時には、利益率α、商品の販売単価ｂ、入れ目ｘ、１箱の仕入価格Ｃ、仕入品の重量ＷＡは、既知であるので、上記（１）〜（３）式の関係に基づいて、例えば、次式により、予定生産数Ｎ、商品の許容重量範囲の上限値ＷＨ及び下限値ＷＬを算出する（ステップＳ６、Ｓ７）。
【００５４】
Ｎ＝Ｃ（１＋α／１００）／ｂ
ＷＨ＝ＷＡ／Ｎ
ＷＬ＝ＷＨ−ｘ
例えば、利益率α＝２０（％）、商品販売単価ｂ＝３００（円）、入れ目ｘ＝２０（ｇ）とし、１箱の仕入価格Ｃ＝６０００（円）で、同１箱に入っている原材料の重量ＷＡ＝１００００（ｇ）であった場合、
Ｎ＝６０００（１＋２０／１００）／３００＝２４（個）となる。
このＮの計算値に、少数点以下の端数が生じる場合には、切り上げて整数値にすることが、利益率αを確保する上で好ましい。また、
ＷＨ＝１００００／２４≒４１７（ｇ）となり、
ＷＬ＝４１７−２０＝３９７（ｇ）となる。
【００５５】
以上のようにして、予定生産数Ｎ、許容重量範囲の下限値ＷＬ及び上限値ＷＨが算出されて、表示部４に表示される（ステップＳ８）。
【００５６】
次に、作業者は、１箱分の原材料を小分けして複数の商品を生産するために、まず、操作入力部３に作業開始の操作を行うことにより作業開始信号が制御部７に入力される（ステップＳ９）。
【００５７】
この商品を生産する際、作業者は、計量皿１に載せられている仕入品から、１個分の商品となる原材料を取り出して、例えばトレー等の容器（図示せず）に入れる。これを繰り返し行い、各々の容器に入れられた原材料が商品となる。
【００５８】
ここで、制御部７は、所定時間間隔で、重量センサ２から計量値（計量皿１上の原材料の重量値）を取得し、例えば図１（ｅ）に示すように、重量センサ２から随時取得した計量値（６８００ｇ）を表示部４の画面に表示させるようになっている。
【００５９】
そして、制御部７は、原材料が計量皿１から取り出されることにより、重量センサ２から取得する計量値に変化があると（ステップＳ１０）、その時点の計量値を、記憶している原材料残り重量値Ｗｓから減算し、原材料の減少量（すなわち、計量皿１から取り出された原材料の重量）を算出する（ステップＳ１１）。そして、その減少量が、許容重量範囲内であれば適量と判定し、許容重量範囲の下限値ＷＬより小さいと軽量と判定し、上限値ＷＨより大きいと過量と判定する（ステップＳ１２）。
【００６０】
そして、軽量と判定した場合には判定ランプ５を赤色点灯させ（ステップＳ１４）、過量と判定した場合には黄色点灯させて（ステップＳ１５）、ステップＳ１０へ戻る。また、適量と判定した場合には判定ランプ５を青色点灯させる（ステップＳ１３）。
【００６１】
ここで、作業者は、計量皿１から原材料を取り出したときに、判定ランプ５が赤色に点灯するとさらに原材料を取り出して容器に入れることにより、判定ランプ５が青色に点灯するように容器に入れる原材料の量を調整する。また、判定ランプ５が黄色に点灯すると容器に入れた原材料の一部を計量皿１へ戻すことにより、判定ランプ５が青色に点灯するように容器に入れる原材料の量を調整する。そして、判定ランプ５が青色に点灯した場合には、容器に入れた原材料を１つの商品とする。このようにして、作業者は順次、商品を生産する。
【００６２】
制御部７は、ステップＳ１３の次にステップＳ２１へ進み、そのときの重量センサ２の計量値を原材料残り重量値Ｗｓとして記憶（更新）する（ステップＳ２１）。さらに、適量と判定したときの原材料の減少量を商品重量値として記憶する（ステップＳ２２）。この商品重量値は、ステップＳ２２が行われるたびに、順次、記憶される。そして、商品の実生産数（現時点までの実際の生産数）を記憶（更新）し（ステップＳ２３）、これまでに生産した商品の平均重量を算出し（ステップＳ２４）、例えば図１（ｅ）に示すように、商品の実生産数（８パック）と平均重量（４００ｇ）とを表示部４の画面に表示させる（ステップＳ２５）。
【００６３】
前述のステップＳ２３における商品の実生産数については、例えば、作業開始前の実生産数ｋの初期値を０にしておいて、ステップＳ２３において、実生産数ｋの値を１増加させるようにすればよい。また、ステップＳ２４における商品の平均重量については、これまでにステップＳ２２で記憶されている商品重量値の平均値を算出すればよい。
【００６４】
次に、制御部７は、実生産数ｋと予定生産数Ｎとを比較し（ステップＳ２６）、実生産数ｋが予定生産数Ｎより小さい場合には、ステップＳ１０へ戻る。
【００６５】
そして、実生産数ｋが予定生産数Ｎと等しくなった場合には、予定生産数Ｎが生産されたことを報知する（ステップＳ２７）。この報知は、例えば、表示部４の所定領域４ｐ（図１（ｅ））に「予定数終了」と表示することにより行う。
【００６６】
さらに、制御部７は、ステップＳ２１によって更新されている原材料残り重量値Ｗｓが許容重量範囲の下限値ＷＬ以上であるか否かを判定し（ステップＳ２８）、原材料残り重量値Ｗｓが下限値ＷＬ未満であれば、生産作業が終了したことを作業者に報知する（ステップＳ３１）。この報知は、例えば、「生産終了」と表示部４の画面の所定領域４ｐに表示することにより行う。
【００６７】
また、ステップＳ２８において、原材料残り重量値Ｗｓが許容重量範囲の下限値ＷＬ以上であれば、商品を生産続行可能であることを報知する（ステップＳ２９）。この報知は、例えば、表示部４の画面の所定領域４ｐに「生産続行可能」と表示することにより行う。
【００６８】
この場合、作業者は、操作入力部３を操作して生産続行指示操作を行うと、ステップＳ１０へ戻り、生産終了指示操作を行うと、ステップＳ３１へ進む（ステップＳ３０）。
【００６９】
また、ステップＳ２６において、実生産数ｋが予定生産数Ｎより大きい場合には、ステップＳ２１によって更新されている原材料残り重量値Ｗｓが許容重量範囲の下限値ＷＬ以上であるか否かを判定し（ステップＳ３２）、原材料残り重量値Ｗｓが下限値未満ＷＬであれば、実生産数ｋに応じた利益率（αｋ）を算出する（ステップＳ３５）。ここで、利益率αｋは、実生産数ｋと商品販売単価ｂと１箱の仕入価格Ｃとを用いて、次式によって算出される。
【００７０】
αｋ＝（ｂ・ｋ／Ｃ−１）×１００
次に、ステップＳ３６では、実生産数ｋ及び利益率αｋと、生産作業が終了したことを報知する。この報知は、例えば、表示部４の画面に報知すべき内容を表示することにより行う。
【００７１】
また、ステップＳ３２において、原材料残り重量値Ｗｓが許容重量範囲の下限値以上であれば、商品を生産続行可能であることを報知する（ステップＳ３３）。この報知は、例えば、表示部４の画面に「生産続行可能」と表示することにより行う。
【００７２】
この場合、作業者は、操作入力部３を操作して生産続行指示操作を行うと、ステップＳ１０へ戻り、生産終了指示操作を行うと、ステップＳ３５へ進む（ステップＳ３４）。
【００７３】
なお、ステップＳ３１においても、はじめに設定されている利益率αと実生産数ｋ（＝予定生産数Ｎ）とを表示部４の画面に表示するようにしてもよい。
【００７４】
また、本商品生産支援装置にスピーカ等を設け、ステップＳ２７，Ｓ２９，Ｓ３１，Ｓ３３，Ｓ３６において、表示部４の画面に表示させる内容（報知内容）をスピーカから音声によって報知するようにしてもよい。
【００７５】
なお、ステップＳ２８、Ｓ３２において、原材料残り重量値Ｗｓが許容重量範囲の下限値ＷＬ以上の場合に、残り重量値Ｗｓの原材料を用いて生産できる商品の個数の推定値（推定個数）ｎを算出して報知するようにしてもよい。この場合に、推定個数ｎを表示部４に表示させるようにしてもよいし、前述のスピーカから音声によって報知するようにしてもよい。ここで、推定個数ｎは、例えば、Ｗｓ／ＷＬの値を算出し、その値の小数点以下を切り捨てた整数値として算出するようにしてもよい。この推定個数ｎは、あくまでも目安であり、必ずしもｎ個の商品を生産できるとは限らない。
【００７６】
また、生産終了時、例えば、ステップＳ３１、Ｓ３６の後に、制御部７は、仕入品（原材料）の重量、仕入品の仕入価格、商品の販売単価、実生産数、売上予定総額（＝販売単価×実生産数）、及び利益率を、生産日と関連付けた生産情報を生成して、記憶部９に記憶するようにしてもよい。この場合、リアルタイムクロック等の時計を備え、制御部７は、時計からその日の日付を取得して生産日とする。そして、操作入力部３を操作して生産日を指定（入力）すれば、制御部７が、指定された生産日の生産情報を記憶部９から読み出して表示部４に表示させるように構成されていてもよい。また、制御部７は、生産情報をリムーバブルメディア（図示せず）に記憶させるようにしてもよい。この場合、生産情報を記憶したリムーバブルメディアを、パソコン等の情報処理装置にセットして、生産情報を閲覧することができる。
【００７７】
なお、ステップＳ５における仕入品の重量の計測を行う場合に、例えば、仕入れた箱から原材料を取り出して計量皿１上に載せて重量計測を行うようにし、その際に、損傷等があって商品とならない原材料（すなわち商品に含めるべきではない原材料）を取り除き、状態の良い原材料のみを計量皿１に載せて計量するようにしてもよい。また、この際、計量皿１の上に所定の容器（風袋）を載せ、その容器に原材料を入れて重量計測を行うようにしてもよく、この場合、制御部７は、風袋引き機能によって、計量値から所定の容器の重量を減算した値を仕入品の重量として算出する。
【００７８】
なお、上記では、商品となる原材料を１箱仕入れた場合について説明したが、同一の原材料を複数箱仕入れた場合には、例えば、１箱目を上記のようにして商品を生産した後、２箱目以降のｊ箱目（ｊは２以上の整数）の場合は、１箱目と同じ許容重量範囲の下限値及び上限値を用いて、作業開始後のステップＳ１０以降と同様の処理を行うようにしてもよい。この場合、例えば、（ｊ−１）箱目の原材料を用いた商品生産終了時に、ｊ箱目の原材料を計量皿１に載せて、操作入力部３にて「生産継続」操作を行うことにより、制御部７は、ステップＳ２６で用いる予定生産数Ｎを例えばｊ×Ｎの値に更新して、ステップＳ１０以降と同様の処理を行うようにしてもよい。
【００７９】
また、同一の原材料を複数箱仕入れた場合の他の方法として、ステップＳ４で、仕入価格として、仕入れた原材料の総仕入価格を入力し、ステップＳ５で、仕入れた原材料の総重量を計測し、それを仕入品の重量ＷＡとするようにしてもよい。この場合、ステップＳ５で、例えば、１箱ずつの原材料の重量を計測し、それらを加算して仕入品の重量ＷＡとするようにしてもよい。ここで、制御部７は計測重量の加算機能を有している。
【００８０】
なお、上記では、仕入品を小分けして商品を生産する際に、作業者は、計量皿１に載せられている仕入品から、順次、１個分の商品となる原材料を取り出すようにしているが、空の計量皿１に１個分の商品となる原材料を載せることにより、商品を生産するようにしてもよい。この場合、制御部７は、計量皿１上の原材料の重量が、許容重量範囲内であれば適量と判定し、許容重量範囲の下限値ＷＬより小さいと軽量と判定し、上限値ＷＨより大きいと過量と判定するよう構成される。
【００８１】
本実施形態では、希望する利益率α、販売単価ｂ、入れ目ｘ及び仕入価格Ｃを設定し、仕入品の重量ＷＡの計測を行うことにより、希望する利益率αを実現するための商品の許容重量範囲の上限値ＷＨ及び下限値ＷＬが自動的に算出されるので、これらの計算を管理者等の人間が行う手間を省くことができ、人間の負担を軽減することができる。また、制御部７で算出された商品の許容重量範囲の上限値ＷＨ及び下限値ＷＬは自動的に設定される（記憶部９に記憶される）ので、これらを操作入力部３を操作して人間が設定する手間を省くことができる。
【００８２】
また、一般的に、利益率α、販売単価ｂ及び入れ目ｘは、頻繁に変更されることがないので、これらの値を記憶部９内の例えば不揮発性メモリ領域（本発明の記憶手段）に記憶しておくことで、操作入力部３を操作して人間が毎回設定する手間を省くことができる。
【００８３】
上記の本実施形態では、商品生産支援装置が、所望の利益率αと所望の商品販売単価ｂとが設定されたときに、所望の利益率αを達成するための商品の許容重量範囲の上限値ＷＨ及び下限値ＷＬを算出する機能（第１の機能）を有する場合について説明したが、さらに以下の第２〜第３の機能を有していてもよい。また、商品生産支援装置が、第１〜第３の機能のうちのいずれか１つの機能のみ、あるいは複数の機能を有するよう構成されていてもよい。ここで、複数の機能を有するよう構成される場合には、操作入力部３を操作して複数の機能のうちのいずれか１つの機能を選択することができる。
【００８４】
〔第２の機能〕
第２の機能は、所望の利益率αと、所望する商品１個の最低（最小）重量（許容重量範囲の下限値ＷＬ）とが設定されたときに、所望の利益率αを達成するための商品の販売単価ｂを算出する機能である。この場合、操作入力部３を操作して、利益率α、許容重量範囲の下限値ＷＬ、入れ目ｘ及び仕入価格Ｃを設定し、仕入品の重量ＷＡの計測を行うことにより、前述の（１）〜（３）式の関係に基づいて、制御部７は、例えば、次式により、商品の許容重量範囲の上限値ＷＨ、予定生産数Ｎ及び商品の販売単価ｂを算出し、これらを表示部４に表示させるように構成されている。
【００８５】
ＷＨ＝ＷＬ＋ｘ
Ｎ＝ＷＡ／ＷＨ
ｂ＝Ｃ（１＋α／１００）／Ｎ
なお、Ｎの計算値（ＷＡ／ＷＨ）に、少数点以下の端数が生じる場合には、例えば切り捨てて整数値にする。
【００８６】
この第２の機能を用いれば、許容重量範囲情報及び利益情報（利益率α）等を設定すれば、商品の販売単価ｂが自動的に算出されて報知されるので、複数の商品に小分けする際に、知りたい情報（販売単価ｂ）の計算を管理者等の人間が行う手間を省くことができ、人間の負担を軽減することができる。
【００８７】
〔第３の機能〕
第３の機能は、所望する商品販売単価ｂと、所望する商品１個の最低（最小）重量（許容重量範囲の下限値ＷＬ）とが設定されたときに、利益率αを算出する機能である。この場合、操作入力部３を操作して、販売単価ｂ、許容重量範囲の下限値ＷＬ、入れ目ｘ及び仕入価格Ｃを設定し、仕入品の重量ＷＡの計測を行うことにより、前述の（１）〜（３）式の関係に基づいて、制御部７は、例えば、次式により、商品の許容重量範囲の上限値ＷＨ、予定生産数Ｎ及び利益率αを算出し、これらを表示部４に表示させるように構成されている。
【００８８】
ＷＨ＝ＷＬ＋ｘ
Ｎ＝ＷＡ／ＷＨ
α＝（ｂ・Ｎ／Ｃ−１）×１００
なお、Ｎの計算値（ＷＡ／ＷＨ）に、少数点以下の端数が生じる場合には、例えば切り捨てて整数値にする。
【００８９】
この第３の機能を用いれば、許容重量範囲情報及び商品の販売単価ｂ等を設定すれば、利益情報（利益率α）が算出されて報知されるので、複数の商品に小分けする際に、知りたい情報（利益情報）の計算を管理者等の人間が行う手間を省くことができ、人間の負担を軽減することができる。
【００９０】
以上では、第１〜第３の機能において、利益情報として、仕入価格（仕入原価）Ｃに対する利益率αを用いたが、これに代えて、売上予定額（ｂ×Ｎ）に対する利益率β（％）を用いるように構成してもよい。また、利益情報として、売上予定額から仕入価格を減算した利益額［Ｐ（円）］を用いるように構成してもよいし、商品１個当たりの利益［ａ（円）］を用いるように構成してもよい。
【００９１】
［利益情報が売上予定額に対する利益率βの場合］
例えば、利益情報として、売上予定額（ｂ×Ｎ）に対する利益率β（％）を用いるように構成する場合、前述の（１）式に代えて、次の（１ａ）式で示される関係がある。
【００９２】
ｂ・Ｎ≧Ｃ＋ｂ・Ｎ・β／１００  ・・・（１ａ）
ここで、Ｎは、（１ａ）式を満足する最小の整数値とする。
【００９３】
利益率βは前述の利益率αと、α・Ｃ＝β・ｂ・Ｎ（＝利益額）の関係があり、前述の利益率αを用いる場合と同様にして、第１〜第３の機能を実現することができる。
【００９４】
［利益情報が利益額Ｐの場合］
また、利益情報として、売上予定額から仕入価格を減算した利益額（Ｐ）を用いるように構成する場合、前述の（１）式に代えて、次の（１ｂ）式で示される関係がある。
【００９５】
ｂ・Ｎ≧Ｃ＋Ｐ  ・・・（１ｂ）
ここで、Ｎは、（１ｂ）式を満足する最小の整数値とする。
【００９６】
この場合において、第１の機能は、所望する利益額Ｐと、所望する商品の販売単価ｂとが設定されたときに、利益額Ｐを達成するための商品の許容重量範囲の上限値ＷＨ及び下限値ＷＬを算出する機能である。この場合、操作入力部３を操作して、利益額Ｐ、販売単価ｂ、入れ目ｘ及び仕入価格Ｃを設定し、仕入品の重量ＷＡの計測を行うことにより、前述の（１ｂ）式、（２）式及び（３）式の関係に基づいて、制御部７は、例えば、次式により、商品の予定生産数Ｎ及び許容重量範囲の上限値ＷＨ及び下限値ＷＬを算出し、これらを表示部４に表示させるように構成されている。
【００９７】
Ｎ＝（Ｃ＋Ｐ）／ｂ
ＷＨ＝ＷＡ／Ｎ
ＷＬ＝ＷＨ−ｘ
なお、Ｎの計算値｛（Ｃ＋Ｐ）／ｂ｝に、少数点以下の端数が生じる場合には、切り上げて整数値にする。
【００９８】
また、この場合において、第２の機能は、所望する利益額Ｐと、所望する商品１個の最低重量（許容重量範囲の下限値ＷＬ）とが設定されたときに、利益額Ｐを達成するための商品の販売単価ｂを算出する機能である。この場合、操作入力部３を操作して、利益額Ｐ、許容重量範囲の下限値ＷＬ、入れ目ｘ及び仕入価格Ｃを設定し、仕入品の重量ＷＡの計測を行うことにより、前述の（１ｂ）式、（２）式及び（３）式の関係に基づいて、制御部７は、例えば、次式により、商品の許容重量範囲の上限値ＷＨ、予定生産数Ｎ及び商品の販売単価ｂを算出し、これらを表示部４に表示させるように構成されている。
【００９９】
ＷＨ＝ＷＬ＋ｘ
Ｎ＝ＷＡ／ＷＨ
ｂ＝（Ｃ＋Ｐ）／Ｎ
なお、Ｎの計算値（ＷＡ／ＷＨ）に、少数点以下の端数が生じる場合には、例えば切り捨てて整数値にする。
【０１００】
また、この場合において、第３の機能は、所望する商品の販売単価ｂと、所望する商品１個の最低重量（許容重量範囲の下限値ＷＬ）とが設定されたときに、利益額Ｐを算出する機能である。この場合、操作入力部３を操作して、販売単価ｂ、許容重量範囲の下限値ＷＬ、入れ目ｘ及び仕入価格Ｃを設定し、仕入品の重量ＷＡの計測を行うことにより、前述の（１ｂ）式、（２）式及び（３）式の関係に基づいて、制御部７は、例えば、次式により、商品の許容重量範囲の上限値ＷＨ、予定生産数Ｎ及び利益額Ｐを算出し、これらを表示部４に表示させるように構成されている。
【０１０１】
ＷＨ＝ＷＬ＋ｘ
Ｎ＝ＷＡ／ＷＨ
Ｐ＝ｂ・Ｎ−Ｃ
なお、Ｎの計算値（ＷＡ／ＷＨ）に、少数点以下の端数が生じる場合には、例えば切り捨てて整数値にする。
【０１０２】
［利益情報が商品１個当たりの利益ａの場合］
また、利益情報として、商品１個当たりの利益（ａ）を用いるように構成する場合、前述の（１）式に代えて、次の（１ｃ）式の関係がある。
【０１０３】
ｂ・Ｎ≧Ｃ＋ａ・Ｎ  ・・・（１ｃ）
ここで、Ｎは、（１ｃ）式を満足する最小の整数値とする。
【０１０４】
商品１個当たりの利益ａは前述の利益額Ｐと、Ｐ＝ａ・Ｎの関係があり、前述の利益額Ｐを用いる場合と同様にして、第１〜第３の機能を実現することができる。
【０１０５】
この場合、第１の機能において、制御部７は、例えば、次式により、商品の予定生産数Ｎ及び許容重量範囲の上限値ＷＨ及び下限値ＷＬを算出し、これらを表示部４に表示させるように構成されている。
【０１０６】
Ｎ＝Ｃ／（ｂ−ａ）
ＷＨ＝ＷＡ／Ｎ
ＷＬ＝ＷＨ−ｘ
なお、Ｎの計算値｛Ｃ／（ｂ−ａ）｝に、少数点以下の端数が生じる場合には、切り上げて整数値にする。
【０１０７】
また、第２の機能において、制御部７は、例えば、次式により、商品の許容重量範囲の上限値ＷＨ、予定生産数Ｎ及び商品の販売単価ｂを算出し、これらを表示部４に表示させるように構成されている。
【０１０８】
ＷＨ＝ＷＬ＋ｘ
Ｎ＝ＷＡ／ＷＨ
ｂ＝Ｃ／Ｎ＋ａ
なお、Ｎの計算値（ＷＡ／ＷＨ）に、少数点以下の端数が生じる場合には、例えば切り捨てて整数値にする。
【０１０９】
また、第３の機能において、制御部７は、例えば、次式により、商品の許容重量範囲の上限値ＷＨ、予定生産数Ｎ及び商品１個当たりの利益ａを算出し、これらを表示部４に表示させるように構成されている。
【０１１０】
ＷＨ＝ＷＬ＋ｘ
Ｎ＝ＷＡ／ＷＨ
ａ＝ｂ−Ｃ／Ｎ
なお、Ｎの計算値（ＷＡ／ＷＨ）に、少数点以下の端数が生じる場合には、例えば切り捨てて整数値にする。
【０１１１】
以上に述べた第２の機能及び第３の機能では、商品１個の最低重量（許容重量範囲の下限値ＷＬ）を設定するようにしたが、これに代えて、商品１個の最大重量（許容重量範囲の上限値ＷＨ）を設定するようにしてもよい。これらの間には、ＷＨ−ＷＬ＝ｘの関係があるので、いずれを設定してもよい。
【０１１２】
また、本実施形態では、仕入品の重量ＷＡを計測する（ステップＳ５）ようにしているが、操作入力部３を操作して仕入品の重量ＷＡ（例えば、仕入先によって表示された重量）を入力（設定）するように構成してもよい。この場合において、制御部７では、仕入品の重量及び仕入価格と、利益率α等の利益情報、商品の販売単価及び入れ目とを、関連付けたテーブルを記憶部９に記憶しておいて、仕入品の重量及び仕入価格が入力されたときに、上記テーブルを参照して利益情報、商品の販売単価及び入れ目が設定されるようにしてもよい。
【０１１３】
なお、本実施形態では、商品生産支援装置として、デジタル式の上皿秤を用いた例を説明したが、これに限らない。例えば、被計量物の供給及び排出が作業者によって行われる手動式の組合せ秤と、デジタル式の上皿秤とを用いた構成でもよい。この場合、例えば、組合せ秤の制御部が第１〜第３の機能のうちのいずれか１つあるいは複数の機能を有する。そして、上皿秤で仕入品の重量（ＷＡ）を計測し、上皿秤で計測された仕入品の重量（ＷＡ）は、上皿秤の制御部から組合せ秤の制御部へ自動的に送信されることが好ましい。
【０１１４】
手動式の組合せ秤は、例えば、計量皿がロードセル等の重量センサによって支持されて構成された複数の計量部と、最適組合せを作業者に報知する組合せ報知手段と、制御部と、操作入力部（図２の操作入力部３参照）と、表示部（図２の表示部４参照）等を備えている。そして、制御部が、計量部に供給されている被計量物（原材料）の重量に基づいて組合せ演算を行い、計量部の組合せのうち、組合せ重量が許容重量範囲（下限値ＷＬ以上で、上限値ＷＨ以下の範囲）内にあるものを最適組合せとして選択し、その最適組合せに選択されている計量部を組合せ報知手段によって作業者に報知する。組合せ報知手段は、例えば、計量部にそれぞれ対応する指示灯からなる。
【０１１５】
組合せ秤では、許容重量範囲内に目標重量が設定され、組合せ重量が許容重量範囲内にある組合せが複数ある場合には、目標重量と同じか目標重量に最も近い組合せが最適組合せに選択される。目標重量は、通常、許容重量範囲の下限値ＷＬと同一の値に設定される。
【０１１６】
そして、商品を生産する際、作業者は、組合せ秤の空の計量部（計量皿）へ順次、原材料を載せ、最適組合せに選択された計量部の原材料をまとめて１つの商品とする。
【０１１７】
なお、上記の上皿秤の計量部の機能（仕入品の重量計測機能）を、例えば組合せ秤の１つあるいは複数の計量部に持たせるようにしてもよい。
【０１１８】
また、上記の手動式の組合せ秤に代えて、被計量物の供給のみが作業者によって行われ、自動で排出される半自動式の組合せ秤が用いられた構成でもよい。この場合、組合せ秤の計量部は、例えばホッパのように被計量物を排出する排出機構を備え、制御部は、最適組合せに選択された計量部から被計量物を排出させるよう構成されている。
【産業上の利用可能性】
【０１１９】
本発明は、仕入品を、同一価格の複数の商品に小分けする際に、必要な情報や知りたい情報の計算を人間が行う手間を省くことができる商品生産支援方法及び商品生産支援装置等として有用である。
【符号の説明】
【０１２０】
３  操作入力部
４  表示部
７  制御部
１０  計量部
【図１】
2015017829.tif 000003
【図２】
2015017829.tif 000004
【図３】
2015017829.tif 000005
【図４】
2015017829.tif 000006